(57)【要約】【課題】映像を表示する表示パネルと、該表示パネルの縁部分を支持する支持枠との隙間から、塵埃が侵入することを防ぐことができる表示装置を提供する。【解決手段】表示パネル１０の縁部分を支持するパネル支持枠９に、表示パネル１０の縁に沿う突出部９ｄ、９ｄ及び溝９ｃ、９ｃ、・・・、９ｃを設けることにより、パネル支持枠９と表示パネル１０との隙間に入り込んだ塵埃を突出部９ｄ、９ｄ及び溝９ｃ、９ｃ、・・・、９ｃに留める構成とした。【選択図】図２
2009294520.tif 000002
【特許請求の範囲】
【請求項１】
映像を表示する表示パネルと、該表示パネルの縁部分を支持する支持枠とを備える表示装置において、
前記支持枠に、前記表示パネルの縁に沿う突出部を設けてあることを特徴とする表示装置。
【請求項２】
前記突出部を複数並設してあることを特徴とする請求項１に記載の表示装置。
【請求項３】
前記突出部を、前記表示パネルの外周よりも外側に配置してあることを特徴とする請求項１又は２に記載の表示装置。
【請求項４】
映像を表示する表示パネルと、該表示パネルの縁部分を支持する支持枠とを備える表示装置において、
前記支持枠に、前記表示パネルの縁に沿う溝を設けてあることを特徴とする表示装置。
【請求項５】
前記溝を複数並設してあることを特徴とする請求項４に記載の表示装置。
【請求項６】
前記支持枠の前記溝を設けてある部分にて、前記表示パネルの縁部分を支持してあることを特徴とする請求項４又は５に記載の表示装置。
【請求項７】
映像を表示する表示パネルと、該表示パネルの縁部分を支持する支持枠とを備える表示装置において、
前記支持枠の内側に設けてあり、前記表示パネルの縁に沿う複数の溝と、
前記支持枠の外側に設けてあり、前記表示パネルの縁に沿う突出部とを備え、
前記支持枠の前記溝を設けてある部分にて、前記表示パネルの縁部分を支持してあること
を特徴とする表示装置。
【発明の詳細な説明】
【技術分野】
【０００１】
本発明は、塵埃の侵入を防ぐことができる表示装置に関する。
【背景技術】
【０００２】
従来の表示装置は、光源を支持するバックライトシャーシの正面に、映像を表示する表示パネルに向けて光を拡散する光学シートを配置して、該光学シートの正面側周縁部分に取付体を配置し、該取付体により光学シートをバックライトシャーシに取り付けていた。また取付体と光学シートとの隙間に、塵埃の侵入を防ぐために可撓体を設けていた（特許文献１参照）。
【０００３】
また以前より、塵埃の侵入を防ぐために、表示パネルと該表示パネルを支持する支持部との隙間に可撓体を設けた表示装置が提案されている。
【特許文献１】特開２００７−１９３２３８号公報
【発明の開示】
【発明が解決しようとする課題】
【０００４】
前述した可撓体は、その性質上揺動しやすいため、可撓体を前記表示パネル又は光学シートに取り付ける場合には揺動を抑制する必要がある。このため、表示装置への可撓体の取り付けには、長時間を要し、表示装置の生産効率が低下するという問題があった。
【０００５】
本発明は斯かる事情に鑑みてなされたものであり、映像を表示する表示パネルの縁部分を支持する支持枠に、表示パネルの縁に沿う突出部又は溝を設けることにより、支持枠と表示パネルとの隙間に入り込んだ塵埃を突出部又は溝に留め、塵埃の侵入を防ぐことができる表示装置を提供することを目的とする。
【課題を解決するための手段】
【０００６】
本発明に係る表示装置は、映像を表示する表示パネルと、該表示パネルの縁部分を支持する支持枠とを備える表示装置において、前記支持枠に、前記表示パネルの縁に沿う突出部を設けてあることを特徴とする。
【０００７】
本発明においては、表示パネルの縁に沿う突出部を前記支持枠に設けることにより、支持枠と表示パネルとの隙間に入り込んだ塵埃を突出部に留める。
【０００８】
本発明に係る表示装置は、前記突出部を複数並設してあることを特徴とする。
【０００９】
本発明においては、前記突出部を複数並設することにより、支持枠と表示パネルとの隙間に入り込んだ塵埃は、単数の突出部を設ける場合よりも確実に突出部に留まる。
【００１０】
本発明に係る表示装置は、前記突出部を、前記表示パネルの外周よりも外側に配置してあることを特徴とする。
【００１１】
本発明においては、前記突出部を、前記表示パネルの外周よりも外側に配置して、支持枠と表示パネルとの隙間に塵埃が入り込むことを妨げると共に、前記表示パネルと前記支持枠との接近を前記突出部が妨げることを回避する。
【００１２】
本発明に係る表示装置は、映像を表示する表示パネルと、該表示パネルの縁部分を支持する支持枠とを備える表示装置において、前記支持枠に、前記表示パネルの縁に沿う溝を設けてあることを特徴とする。
【００１３】
本発明においては、表示パネルの縁に沿う溝を前記支持枠に設けて、支持枠と表示パネルとの隙間に入り込んだ塵埃を溝に留める。
【００１４】
本発明に係る表示装置は、前記溝を複数並設してあることを特徴とする。
【００１５】
本発明においては、前記溝を複数並設して、支持枠と表示パネルとの隙間に入り込んだ塵埃を、単数の溝を設ける場合よりも確実に溝に留める。
【００１６】
本発明に係る表示装置は、前記支持枠の前記溝を設けてある部分にて、前記表示パネルの縁部分を支持してあることを特徴とする。
【００１７】
本発明においては、前記支持枠の前記溝を設けてある部分にて、前記表示パネルの縁部分を支持して、前記表示パネルと溝の縁部分とを圧接させ、塵埃が前記表示パネルと前記支持枠との隙間に入り込むことを妨げる。
【００１８】
本発明に係る表示装置は、映像を表示する表示パネルと、該表示パネルの縁部分を支持する支持枠とを備える表示装置において、前記支持枠の内側に設けてあり、前記表示パネルの縁に沿う複数の溝と、前記支持枠の外側に設けてあり、前記表示パネルの縁に沿う突出部とを備え、前記支持枠の前記溝を設けてある部分にて、前記表示パネルの縁部分を支持してあることを特徴とする。
【００１９】
本発明においては、前記支持枠の前記溝を設けてある部分にて、前記表示パネルの縁部分を支持して、前記溝の縁部分と前記表示パネルとを圧接させ、塵埃が前記表示パネルと前記支持枠との隙間に入り込むことを妨げる。また前記表示パネルの縁に沿う複数の溝を前記支持枠の内側に設け、前記表示パネルの縁に沿う突出部を前記支持枠の外側に設けて、塵埃を突出部及び溝に留める。
【発明の効果】
【００２０】
本発明に係る表示装置にあっては、映像を表示する表示パネルを支持する支持枠に、表示パネルの縁に沿う突出部又は溝を設けることにより、支持枠と表示パネルとの隙間に入り込んだ塵埃を突出部又は溝に留め、塵埃の侵入を防ぐことができる。
【発明を実施するための最良の形態】
【００２１】
（実施の形態１）
以下本発明を実施の形態１に係る表示装置を示す図面に基づいて詳述する。図１は縦置きにされた表示装置の外観を示す模式的外観図、図２は図１におけるＩＩ―ＩＩ線での略示側面断面図である。なお図２において、下側部分の記載は省略している。
【００２２】
図において１は縦置きにされた矩形箱状の表示装置であり、該表示装置１は、矩形枠状のフロントキャビネット２を備えており、該フロントキャビネット２は、後述する表示パネル１０に表示される映像を視認するための矩形の開口部２ｂを備えている。前記フロントキャビネット２の背面側に、矩形箱状のリヤキャビネット３が設けてあり、該リヤキャビネット３の上下縁部にそれぞれ二つの係合凹部３ａが設けてある。また該係合凹部３ａに係合する係合爪部２ａが前記フロントキャビネット２の上下縁部に設けてあり、前記係合爪部２ａ及び係合凹部３ａを係合させて、前記フロントキャビネット２と前記リヤキャビネット３とを連結している。
【００２３】
前記フロントキャビネット２及びリヤキャビネット３の内側に、蛍光管２０を支持する矩形箱状のバックライトシャーシ４が配置してあり、該バックライトシャーシ４はリヤキャビネット３に対向する矩形の背面板部４ａを備えている。該背面板部４ａの上下縁部から、二つの側面板部４ｂがそれぞれ正面に突出しており、該側面板部４ｂの突出端には、前記リヤキャビネット３に平行な鍔部４ｃが連なっている。二つの前記側面板部４ｂの内側に沿って、後述する光学シート７の上下縁部を支持する二つのシート支持杆５が設けてある。該シート支持杆５の奥行寸法は、前記側面板部４ｂの奥行寸法よりも大きく、シート支持杆５の正面部分は、前記鍔部４ｃに向けて延出しており、前記鍔部４ｃに対向するシート支持面５ａを備える。
【００２４】
前記背面板部４ａの正面に、光を反射する矩形トレー状の反射板６が設けてある。該反射板６は、前記背面板部４ａに固定される矩形の固定板部６ａを備えており、該固定板部６ａに対して傾斜した二つの側面部６ｂが、前記固定板部６ａの上下縁部から、それぞれ正面側に延出している。二つの前記側面部６ｂは、二つの前記シート支持杆５側にそれぞれ傾倒しており、前記側面部６ｂの奥行寸法は前記シート支持杆５の奥行寸法と略同じである。二つの前記側面部６ｂの縁部から、前記シート支持面５ａに平行な二つの板部６ｃが延出しており、該板部６ｃは前記シート支持面５ａの正面に配置されている。
【００２５】
前記板部６ｃの正面側に、光を拡散する光学シート７が配置してあり、該光学シート７の上下縁部が前記板部６ｃを介して、前記シート支持面５ａにて支持されている。該光学シート７の正面縁部に、スペーサ８を介して、パネル支持枠９が設けてある。該パネル支持枠９の正面にて、映像を表示する表示パネル１０が支持されており、該表示パネル１０は液晶を備えている。また前記表示パネル１０の正面縁部には可撓体１１を介してベゼル１２が設けてあり、該ベゼル１２と前記パネル支持枠９とにより、表示パネル１０は挟持されている。また前記パネル支持枠９には、表示パネル１０を駆動するための、複数の基板から構成された駆動回路１５が設けてあり、該駆動回路１５は図示しないインバータ回路から給電される。前記駆動回路１５への給電により、表示パネル１０が駆動され、映像が表示される。
【００２６】
次に前記パネル支持枠９の構成を詳細に説明する。前記パネル支持枠９の断面形状はＬ状をなしており、前記パネル支持枠９は、前記表示パネル１０の縁部に対向する矩形環状の枠部９ａと、該枠部９ａの外縁部から背面側に突出しており、前記鍔部４ｃにて係止される筒部９ｂとを備えている。
【００２７】
前記枠部９ａの、前記表示パネル１０に対向する面に、前記表示パネル１０の縁に沿う断面三角形状の複数の溝９ｃ、９ｃ、・・・、９ｃが、枠部９ａの全周に亘って並んで設けてある。また各溝９ｃ、９ｃ、・・・、９ｃは互いに隣接している。前記枠部９ａの、前記溝９ｃ、９ｃ、・・・、９ｃを設けてある部分にて、前記表示パネル１０の縁部を支持しており、前記溝９ｃ、９ｃ、・・・、９ｃの縁部分と前記表示パネル１０とが接触している。前記溝９ｃ、９ｃ、・・・、９ｃの縁部分の面積は小さいので、前記表示パネル１０を支持するための押圧力によって、前記溝９ｃ、９ｃ、・・・、９ｃの縁部分と前記表示パネル１０とは圧接されている。
【００２８】
また前記枠部９ａの正面であって、前記溝９ｃ、９ｃ、・・・、９ｃの外周に、前記表示パネル１０の縁に沿う正面側に突出したリブ状の二つの突出部９ｄ、９ｄが、枠部９ａの全周に亘って並んで設けられている。また突出部９ｄ、９ｄは、前記表示パネル１０の外周よりも外側に位置している。また突出部９ｄ、９ｄの基部は、前記溝９ｃ、９ｃ、・・・、９ｃよりも背面側に位置している。
【００２９】
前記枠部９ａと前記表示パネル１０との隙間に塵埃が入り込み、入り込んだ塵埃が前記表示パネル１０に向けて移動する場合がある。塵埃の移動経路の途中には、前記突出部９ｄ、９ｄが設けてあり、前記突出部９ｄ、９ｄにより塵埃の移動が妨げられる。また前記突出部９ｄ、９ｄを超えた先には、前記溝９ｃ、９ｃ、・・・、９ｃが設けてあり、前記溝９ｃ、９ｃ、・・・、９ｃにより塵埃の移動が更に妨げられる。
【００３０】
実施の形態１に係る表示装置１にあっては、表示パネル１０の縁部分を支持するパネル支持枠９に、表示パネル１０の縁に沿う突出部９ｄ、９ｄ及び溝９ｃ、９ｃ、・・・、９ｃを設けることにより、パネル支持枠９と表示パネル１０との隙間に入り込んだ塵埃を突出部９ｄ、９ｄ及び溝９ｃ、９ｃ、・・・、９ｃに留め、塵埃による映像品位の低下を回避することができる。またパネル支持枠９に、複数の突出部９ｄ、９ｄ及び溝９ｃ、９ｃ、・・・、９ｃを並設して、単数の突出部９ｄ及び溝９ｃを設ける場合よりも、突出部９ｄ、９ｄ及び溝９ｃ、９ｃ、・・・、９ｃにて塵埃を確実に留める。
【００３１】
また突出部９ｄ、９ｄを、前記表示パネル１０の外周よりも外側に配置して、パネル支持枠９と表示パネル１０との隙間に塵埃が入り込むことを妨げると共に、前記表示パネル１０と前記パネル支持枠９との接近が、前記突出部９ｄ、９ｄによって妨げられることを回避することができる。
【００３２】
また前記パネル支持枠９の前記溝９ｃ、９ｃ、・・・、９ｃを設けてある部分にて、前記表示パネル１０の縁部分を支持し、前記表示パネル１０と溝９ｃ、９ｃ、・・・、９ｃの縁部分とを圧接させ、塵埃が前記表示パネル１０と前記パネル支持枠９との隙間に入り込むことを妨げることができる。
【００３３】
また前記パネル支持枠９の前記溝９ｃ、９ｃ、・・・、９ｃを設けてある部分にて、前記表示パネル１０の縁部分を支持して、前記溝９ｃ、９ｃ、・・・、９ｃの縁部分と前記表示パネル１０とを圧接させ、塵埃が前記表示パネル１０と前記パネル支持枠９との隙間に入り込むことを妨げる。さらに前記溝９ｃ、９ｃ、・・・、９ｃを前記パネル支持枠９の内側に並設し、前記突出部９ｄ、９ｄを前記パネル支持枠９の外側に並設して、前記表示パネル１０と前記パネル支持枠９との隙間に入り込んだ塵埃を突出部９ｄ、９ｄ及び溝９ｃ、９ｃ、・・・、９ｃに留めて、塵埃による映像品位の低下を回避することができる。
【００３４】
なお溝９ｃ又は突出部９ｄは単数でも良く、前記突出部９ｄを前記枠部９ａに三つ以上設けても良い。また溝９ｃ、９ｃ、・・・、９ｃの断面形状は四角形でもよい。また前記突出部９ｄ、９ｄのみを前記枠部９ａに設けても良く、前記溝９ｃ、９ｃ、・・・、９ｃのみを前記枠部９ａに設けても良い。また前記突出部９ｄ、９ｄ及び／又は溝９ｃ、９ｃ、・・・、９ｃを、前記枠部９ａの一縁部に沿って設け、他縁部に沿って可撓体１１を設けても良い。また蛍光管２０に代えて、白色ＬＥＤを用いても良い。
【００３５】
（実施の形態２）
以下本発明の実施の形態２に係る表示装置に基づいて詳述する。図３は実施の形態２に係る表示装置の略示側面断面図である。
【００３６】
前記フロントキャビネット２は、前記表示パネル１０の正面縁部に対向する対向面２ｅを有しており、該対向面２ｅに、前記表示パネル１０の縁に沿う断面三角形状の複数の溝２ｃ、２ｃ、・・・、２ｃが、対向面２ｅの全周に亘って並んで設けてある。また各溝２ｃ、２ｃ、・・・、２ｃは互いに隣接しており、前記フロントキャビネット２の前記溝２ｃ、２ｃ、・・・、２ｃを設けてある部分にて、前記表示パネル１０の縁部は支持されている。
【００３７】
また前記フロントキャビネット２の背面であって、前記溝２ｃ、２ｃ、・・・、２ｃの外周に、前記表示パネル１０の縁に沿う背面側に突出したリブ状の突出部２ｄが、フロントキャビネット２の全周に亘って設けてある。
【００３８】
前記フロントキャビネット２と前記表示パネル１０との隙間に塵埃が入り込み、入り込んだ塵埃が前記表示パネル１０に向けて移動する場合がある。塵埃の移動経路の途中には、前記突出部２ｄが設けてあり、該突出部２ｄにより塵埃の移動が妨げられる。
【００３９】
実施の形態２に係る表示装置にあっては、表示パネル１０の縁部分を支持するフロントキャビネット２に、表示パネル１０の縁に沿う溝２ｃ、２ｃ、・・・、２ｃ及び突出部２ｄを設けることにより、フロントキャビネット２と表示パネル１０との隙間に入り込んだ塵埃を溝２ｃ、２ｃ、・・・、２ｃ及び突出部２ｄに留め、塵埃による映像品位の低下を回避することができる。
【００４０】
なお溝２ｃは単数でも良く、前記突出部２ｄを前記フロントキャビネット２に複数設けても良い。また溝２ｃ、２ｃ、・・・、２ｃの断面形状は四角形でもよい。また前記突出部２ｄのみを前記フロントキャビネット２に設けても良く、前記溝２ｃ、２ｃ、・・・、２ｃのみを前記フロントキャビネット２に設けても良い。また前記突出部２ｄ及び／又は溝２ｃ、２ｃ、・・・、２ｃを前記フロントキャビネット２の一縁部に設け、他縁部に可撓体を設けても良い。
【００４１】
実施の形態２に係る表示装置の構成の内、実施の形態１と同様な構成については同じ符号を付し、その詳細な説明を省略する。
【図面の簡単な説明】
【００４２】
【図１】縦置きにされた実施の形態１に係る表示装置の外観を示す模式的外観図である。
【図２】図１におけるＩＩ―ＩＩ線での略示側面断面図である。
【図３】実施の形態２に係る表示装置の略示側面断面図である。
【符号の説明】
【００４３】
１０  表示パネル
２  フロントキャビネット（支持枠）
２ｄ、９ｄ  突出部
２ｃ、９ｃ  溝
３  リヤキャビネット
４  バックライトシャーシ
９  パネル支持枠（支持枠）
【図１】
2009294520.tif 000003
【図２】
2009294520.tif 000004
【図３】
2009294520.tif 000005